(57)【要約】      （修正有）【課題】使用者の体形に合わせて装着でき、身体の動きによってもずれにくいストーマ用ベルトもしくはヘルニア用ベルトを提供する。【解決手段】ストーマ用ベルト１を、パウチを通す穴のある押付板２と、押付板２を腰部に固定するための２本のベルト３ａ、３ｂで構成し、押付板２とベルト３ａ、３ｂの間の接続は面ファスナーによって接続角度を自由に変えることができ、２本のベルト３ａ、３ｂの長さを調整できる機構を設けたので、使用者の体形に容易に合わせることができ、使用中にずれたりしない。押付板２を、穴の無いものとすればヘルニア用ベルトとしても使用できる。【選択図】図３
0003197670.tif 000002
【実用新案登録請求の範囲】
【請求項１】
パウチを通す穴のある押付板と、該押付板をユーザの腰部に固定するための２本のベルトからなるストーマ用ベルトであって、
該押付板を身体に装着した時、該押付板の外側となる全面を面ファスナーで構成し、
２本の該ベルトの両端の該押付板と接着する部分を面ファスナーで構成することによって
該押付板と２本の該ベルトとを接着するときに、該押付板と２本の該ベルトの接着角度を任意の角度に設定できる
形状となっていることを特徴とするストーマ用ベルト。
【請求項２】
請求項１に記載のストーマ用ベルトであって、
該ベルトを使用者の身体に装着したとき、該ベルトの外側になる面の全体が面ファスナーで構成され、該ベルト本体はその両端部でそれぞれリンクを通して折り返され、折り返し部は該面ファスナーを使って自分自身に張り付け、
該折り返し部を剥がして折り返しの位置を変えることによって、該ベルトの長さを変えることができる
形状を有することを特徴とするストーマ用ベルト。
【請求項３】
無穴面状の押付板と、該押付板をユーザの腰部に固定するための２本のベルトからなるヘルニア用ベルトであって、
該押付板を身体に装着した時、該押付板の外側となる全面を面ファスナーで構成し、
２本の該ベルトの両端の該押付板と接着する部分を面ファスナーで構成することによって
該押付板と２本の該ベルトとを接着するときに、該押付板と２本の該ベルトの接着角度を任意の角度に設定できる
形状となっていることを特徴とするヘルニア用ベルト。
【請求項４】
請求項３に記載のヘルニア用ベルトであって、
該ベルトを使用者の身体に装着したとき、該ベルトの外側になる面の全体が面ファスナーで構成され、該ベルト本体はその両端部でそれぞれリンクを通して折り返され、折り返し部は該面ファスナーを使って自分自身に張り付け、
該折り返し部を剥がして折り返しの位置を変えることによって、該ベルトの長さを変えることができる
形状を有することを特徴とするヘルニア用ベルト。
【考案の詳細な説明】
【技術分野】
【０００１】
本考案は、人工肛門（以下ストーマ）に排泄袋（以下パウチ）を固定するためのストーマ用ベルトに関する。とくに、ベルトが２重に構成されているストーマ用ベルトに関する。
【背景技術】
【０００２】
従来のストーマ用ベルトは、腰部に巻き付ける１本の帯状部の一部を押さえ板として形成してあり、ストーマ用ベルトを腰の周りを１周して巻きつけて、帯状部の端同士を連結して固定する構造の物が有った。（特許文献１）
【０００３】
これは帯状部を伸縮自在な材料で製作し、利用者の体型や動作によるベルト全体のよじれやズレを抑制しようとしたものである。しかし、帯状部を伸縮自在な材料で製作しただけでは十分に腹部や腰部にフィットせず、使用中にずれが発生するのを抑制できなかった。
【０００４】
また、ストーマ用ベルトを押さえ板と上下に２本に分かれた帯状部によって構成し、２本の帯状部はそれぞれが左右の２つにわかれていて、その端がそれぞれ押さえ板に固定されている構造が提案されている。身体に装着するときは、左右の帯状部を背中側で接続するようになっている。（特許文献２）
【０００５】
これは、帯状部を上下に分けたことにより身体への装着が良好になることが期待できるが、帯状部の端が押さえ板に固定されているため位置が変更できず、十分に体形に合わせられないという課題が有った。
【先行技術文献】
【特許文献】
【０００６】
【特許文献１】特開２０１０−０１７２２６
【特許文献２】特開２００１−２５２２９８
【特許文献３】実登第３１５３４８４号
【考案の概要】
【考案が解決しようとする課題】
【０００７】
本考案においては、利用者の体型や動作によるベルト全体のよじれやズレが無く、安定的に使用できるストーマ用ベルトを提供することが課題である。
【課題を解決するための手段】
【０００８】
本考案は、上記課題に鑑みなされたもので、パウチを通す穴のある押付板と、該押付板をユーザの腰部に固定するための２本のベルトからなるストーマ用ベルトであって、該押付板を身体に装着した時、該押付板の外側となる全面を面ファスナーで構成し、２本の該ベルトの両端の該押付板と接着する部分を面ファスナーで構成することによって、該押付板と２本の該ベルトとを接着するときに、該押付板と２本の該ベルトの接着角度を任意の角度に設定できる形状となっていることを特徴とするストーマ用ベルトである。
【考案の効果】
【０００９】
本考案によれば、使用者の体形に合わせて装着でき、身体の動きによってもずれにくいストーマ用ベルトを提供できる。
【図面の簡単な説明】
【００１０】
【図１】押付板の見取図
【図２】ベルトの見取図
【図３】押付板にベルトを取付けた状態を示す見取図
【図４】ベルトの取付け角度と長さを変えた状態を示す側面図
【図５】穴の無い押付板の見取図
【考案を実施するための形態】
【実施例１】
【００１１】
図１〜４を参照して、実施例を説明する。図１は、押付板２の見取図である。押付板２は、図に示すようにほぼ四角形であり、ほぼ中央にパウチを通す穴２１が有る。押付板２はある程度の硬さを持つ芯地を肌触りの良い布などで覆ったものである。使用者の身体に装着したとき、外側になる接着面２２（この面を押付板の表側の面と称する）の全面が面ファスナーで構成されている。
【００１２】
図２は、ベルト３の見取図である。図２（ａ）は、使用者の身体に装着したとき、肌に当たる面を紙面の手前にした図であり、図２（ｂ）は、使用者の身体に装着したとき、外側になる面を紙面の手前にした下図である。ベルト３は、ベルト本体３１と、その両端に有る接着部３３はリンク３４を通して繋がっている。従って、該ベルト３は、片端より接着部３３、リンク３４、ベルト本体３１、リンク３４、接着部３３の順に並んで、もう一方の片端へ繋がる一連の構造を有している。
【００１３】
ベルト本体３１は伸縮性の有る材料で作られている。したがって、使用者の身体に、装着したとき、着け心地が柔らかく、また動きがあってもそれに追随できる。また、使用者の身体に装着したとき、外側になる面の全体が面ファスナーで構成されている。面ファスナーは同じ面にフックとループ両方が植え込まれており、フック面とループ面との区別のないタイプである。また、ベルト本体３１の肌に接触する面は肌触りの良い布などの材料で覆ってある。
【００１４】
図２（ｂ）で見て取れるように、ベルト本体３１はリンク３４を通して折り返して、折り返し部３２は面ファスナーを使って自分自身に張り付けてある。したがって、折り返し部３２を剥がして折り返しの位置を変えることによって、ベルト３の長さを変えることができる。
【００１５】
ベルト３の両端の接着部３３の、ベルト本体３１の肌に接触する面と同じ方向の面、図２（ａ）で紙面の手前側の面にも面ファスナーが取付けてある。次に述べるように、この面ファスナーは接続部３３を押付板２に張り付けて接続するのに使われる。
【００１６】
図３は、押付板２にベルト３を取付けた状態を示す見取図である。押付板２の表側の面〈接着面２２〉の面ファスナーと、ベルト３の両端の接着部３３に取付けられた面ファスナーを圧着して、接続して固定した状態を示している。なお、上下のベルトを区別するために図で上側のベルトに符号３ａを、下側のベルトに符号３ｂを付してある。（以下で上下のベルトを区別する場合は、上側のベルトに関する場合は添字ａを、下側のベルトに関する場合は添字ｂを付ける場合がある。）
【００１７】
押付板２とベルト３で作られる輪の中に、使用者の胴体（腹部、腰部）が入る。このとき、ベルト３を使用者の体格に合うように、ベルト３の長さや押付板２に対する接続角度を自由に調整して、任意の角度で取付けることができる。図４は、ベルトの取付け角度と長さを変えた状態を示す側面図である。図４（ａ）は２本のベルト３ａと３ｂのなす角度が小さく、またベルト３ａと３ｂの長さが比較的長い場合を示している。図４（ｂ）は２本のベルト３ａと３ｂのなす角度が大きく、またベルトの長さが比較的短い場合を示している。
【００１８】
図３、４に示したように、ベルト３の接着部３３は、面ファスナーを使って押付板２の表側の面の任意の位置に、任意の接続角度で張り付けて固定できる。また、ベルト３の長さは任意に調整できる。したがって、使用者の体格に容易に合わせることができる
【００１９】
説明したように、本考案によれば、使用者の体形に合わせてベルトを装着でき、身体の動きによってもずれにくいストーマ用ベルトを提供できた。
なお、上記説明において、押付板２は、中心部にパウチ通し穴を有する一枚板状のものとして説明したが、押付板の形状はこれに限定されず、開口部の円周縁と押付板外周縁との間に１ないし２箇所に切り込み箇所があり、しかも切り込み部の片側より舌状の接続片が形成されている形状のもの（特許文献３）であってもよい。
【実施例２】
【００２０】
また、上記説明において、パウチ通し穴の開いているストーマ用押付板を前提に説明したが、押付板はストーマ用に限定されず、図５に示す、穴の開いていない面状のヘルニア用押付板４とすれば、ヘルニア用ベルトとしても同様な問題を解決できる。この場合、ヘルニア用押付板４は穴が無いだけで他の構造や材質は押付板３と同じであり、上部ベルト３ａならびに下部ベルト３ｂの構造や材質も同じである。人体への装着の方法も同様である。
【産業上の利用可能性】
【００２１】
ストーマを使う患者が、パウチを固定し、自由に動ける固定具として利用できる。また、ヘルニアの患者が患部を圧迫しながら、自由に動ける圧迫具として利用できる。
【符号の説明】
【００２２】
１      ストーマ用ベルト
２      押付板
２１    穴
２２    接着面
３ａ    上部ベルト
３ｂ    下部ベルト
３１    ベルト本体
３２    折り返し部
３３    接着部
３４    リンク
４      ヘルニア用押付板
４２    接着面
【図１】
0003197670.tif 000003
【図２】
0003197670.tif 000004
【図３】
0003197670.tif 000005
【図４】
0003197670.tif 000006
【図５】
0003197670.tif 000007